(57)【要約】【課題】２つの受信回路を飽和させる不要な信号をカットでき、チップインダクタの数を削減して小型化が可能であると共に、２つの受信回路を併設したとしても高周波的に互いの影響を排除できるようにすること。【解決手段】携帯電話機の送信回路１０１とデジタル放送受信用回路１０３とを備え、デジタル放送受信用回路１０３にＵＨＦ用の受信回路とＶＨＦ用の受信回路とを備える。ＵＨＦ用の受信回路の入力段にノッチフィルタ１１を設け、ノッチフィルタ１１の出力段に低雑音増幅器１２を設ける。低雑音増幅器１２の接地端をトランジスタ１５のコレクタ−エミッタ間を介してグラウンドに接続する。そして、一端がノッチフィルタ１１の入力端に接続された第１のインダクタ２２の他端をＶＨＦ用の回路の入力段に接続すると共にトランジスタ１５のコレクタに接続した。【選択図】図１
2007142712.tif 000002
【特許請求の範囲】
【請求項１】
アンテナに接続され第１の周波数信号を受信する第１の受信回路と、前記アンテナに接続され前記第１の周波数信号よりも低周波数の第２の周波数信号を受信する第２の受信回路と、前記アンテナと前記第１の受信回路との間に設けられたノッチフィルタと、前記ノッチフィルタから出力される信号を増幅する低雑音増幅器と、前記低雑音増幅器の接地端とグラウンドとの間に設けられたスイッチ素子とを備え、
前記ノッチフィルタは、入力端が前記アンテナに接続され出力端が前記低雑音増幅器の入力端に接続されたＳＡＷフィルタと、一端が前記ＳＡＷフィルタの入力端に接続されたインダクタとを備え、
前記インダクタの他端が、前記第２の受信回路の入力端に接続されると共に前記低雑音増幅器と前記スイッチ素子との接続点に接続されたことを特徴とする高周波装置。
【請求項２】
前記低雑音増幅器と前記スイッチ素子との接続点と前記インダクタの他端とを線路で接続し、当該線路にコンデンサを設けたことを特徴とする請求項１記載の高周波装置。
【請求項３】
前記スイッチ素子は、トランジスタで構成されたことを特徴とする請求項１又は請求項２記載の高周波装置。
【請求項４】
前記第１及び第２の受信回路に近接して送信回路が設けられ、前記ノッチフィルタは前記送信回路から出力される信号の周波数をカットすることを特徴とする請求項１〜請求項３の何れかに記載の高周波装置。
【請求項５】
前記第１の受信回路は、ＵＨＦ帯の信号を受信する回路であり、
前記第２の受信回路は、ＶＨＦ帯の信号を受信する回路であり、
前記送信回路は、携帯電話機の送信回路であることを特徴とする請求項４記載の高周波装置。
【請求項６】
前記第１の受信回路は、ＵＨＦ帯のデジタルテレビジョン信号を受信する回路であり、
前記第２の受信回路は、ＶＨＦ帯の７チャンネル及び又は８チャンネルのデジタルラジオ信号を受信する回路であることを特徴とする請求項１〜請求項５の何れかに記載の高周波装置。
【発明の詳細な説明】
【技術分野】
【０００１】
本発明は、デジタル放送受信信号を２つの受信回路に分配して入力すると共に一方の受信回路の入力段にノッチフィルタを備えた高周波装置に関する。
【背景技術】
【０００２】
携帯電話用の送受信回路の他にデジタル放送受信用回路を搭載してデジタル放送を受信できるようにした携帯電話機が提案されている（例えば、特許文献１参照）。図４に示すように、携帯電話機の同一筐体１００内に携帯電話機用の送信回路１０１及び受信回路１０２を実装すると共にデジタル放送受信用回路１０３を搭載している。携帯電話機用の送信回路１０１及び受信回路１０２はアンテナスイッチ１０４を介してアンテナ１０５に接続され、デジタル放送受信用回路１０３は別の専用アンテナ１０６に接続されている。
【０００３】
図５は上記特許文献１に記載された携帯電話と携帯テレビとが同一筐体内に実装された高周波装置の回路構成図である。携帯電話側の構成を説明する。携帯電話用の受信回路１０２は、アンテナスイッチ１０４の一方の端子にＳＡＷ（表面弾性波）フィルタ１１１が接続され、このＳＡＷフィルタ１１１の出力が低雑音増幅器１１２に接続されている。この低雑音増幅器１１２の出力が混合器１１３の一方の入力に接続される。混合器１１３の他方の入力には局部発振器１１４の出力が接続される。混合器１１３の出力が復調器１１５に接続され、この復調器１１５の出力が音声出力器（スピーカ又はレシーバ）１１６に接続される。また、携帯電話用の送信回路１０１は、音声を電気信号に変換する音声入力器（マイクロフォン）１１７の出力が変調器１１８に接続され、この変調器１１８の出力が混合器１１９の一方の入力に接続される。混合器１１９の他方の入力には局部発振器１１４の出力が接続され、この混合器１１４の出力が電力増幅器１２０に接続される。電力増幅器１２０の出力はローパスフィルタ１２１を介してアンテナスイッチ１０４の端子に接続される。局部発振器１１４にはＰＬＬ回路１２２がループ接続され、ＰＬＬ回路１２２に対してデータ生成器１２３が接続される。データ生成器１２３は、ＰＬＬ回路１２２に接続されて携帯電話の受信や送信の周波数を変えるものである。
【０００４】
一方、デジタル放送受信用回路１０３の構成は次のようになっている。デジタル放送信号が入力されるアンテナ１０６に高周波増幅器１３１が接続されている。この高周波増幅器１３１の出力が混合器１３２の一方の入力に接続されている。この混合器１３２の他方の入力には局部発振器１３３の出力が接続されている。混合器１３２の出力がバンドパスフィルタ１３４に接続され、このバンドパスフィルタ１３４の出力が混合器１３５の一方の入力に接続される。この混合器１３５の他方の入力には局部発振器１３６の出力が接続されている。この混合器１３５の出力がバンドパスフィルタ１３７に接続され、このバンドパスフィルタ１３７の出力が復調器１３８に接続されている。復調器１３８の画像出力端子に画像表示器（液晶ディスプレイ又はブラウン管等）１３９が接続され、復調器１３８の音声出力端子に音声出力器１４０が接続されている。前記局部発振器１３３に対してＰＬＬ回路１４１がループ接続され、前記局部発振器１３６に対してＰＬＬ回路１４２がループ接続されている。これらＰＬＬ回路１４１，１４２にはデータ生成器１４３が接続されている。データ生成器１４３は、ＰＬＬ回路１４１とＰＬＬ回路１４２に接続されて携帯テレビの受信周波数（受信チャンネル）を変えるものである。
【０００５】
また、このデータ生成器１２３、１４３はデータ比較器１４５に接続されてデータ内容が比較される。その出力は制御部１４６に接続されており、データ比較器１４５の内容に基づいて、データ生成器１２３とデータ生成器１４３にデータを出力して携帯電話と携帯テレビとがお互いに妨害とならないようにする。即ち、局部発振器１１４或いは局部発振器１３３の発振周波数の両方或いは一方を微小量変化させる。
【０００６】
以上のような回路構成において、携帯電話機用の送信回路１０１から出力される電力は＋２０ｄＢｍ以上であり、デジタル放送信号受信用のアンテナ１０６との間のアイソレーションを１０ｄＢｍとすると、デジタル放送受信用回路１０３には＋１０ｄＢｍの電力が入力される。ところが、デジタル放送受信用回路１０３に入力されるデジタル放送信号の入力レベルは最大でも−２０ｄＢｍ程度であり、携帯電話機用の送信回路１０１の送信電力がそのまま受信回路１０３に入力されると飽和してしまい、デジタル放送信号の受信ができなくなる。携帯電話機用のアンテナ１０５とデジタル放送受信用のアンテナ１０６とを共用する構成の場合は、携帯電話機用の送信回路１０１からデジタル放送受信用回路１０３に送信電力が直接回りこむためさらに厳しい状況となる。
【０００７】
そこで、従来はデジタル放送受信用回路１０３の入力段に携帯電話機用の送信回路１０１の送信電力をカットするためのノッチフィルタを備えている。図６はデジタル放送受信用回路１０３の入力段に設けられる回路構成を示す図である。同図に示すように、携帯電話機用の送信回路１０１が出力する送信信号の周波数をカットするノッチフィルタ１５０、ノッチフィルタ１５０の出力する信号を増幅する低雑音増幅器１５１及びＵＨＦ帯よりも高域の周波数成分を除去するローパスフィルタ１５２を設けている。
【０００８】
図７はノッチフィルタ１５０の周波数特性を示す図である。デジタル放送受信用回路１０３に入力すべきＵＨＦ帯（４７０ＭＨｚ〜７７０ＭＨｚ）と飽和を防ぐためにカットしたい携帯電話機側の送信周波数（８３０ＭＨｚ及び又は９００ＭＨｚ）とは最も近接した領域では１００ＭＨｚ以下になっている。このため、ノッチフィルタ１５０はＳＡＷフィルタ１５４で構成されている。ＳＡＷフィルタ１５４の入力端子とグラウンドとの間に第１のインダクタ１５５を設け、ＳＡＷフィルタ１５４の接地端子とグラウンドとの間に第２のインダクタ１５６を設け、ＳＡＷフィルタ１５４の出力端子とグラウンドとの間に第３のインダクタ１５７を設けている。これら第１〜第３のインダクタ１５５〜１５７によりアンテナ１０６側と受信回路１０３側のインピーダンスをマッチングさせている。また、低雑音増幅器１５１の接地端子をトランジスタ１５３のコレクタ−エミッタ間を介してグラウンドに接続している。トランジスタ１５３のベースはＬＮＡコントロール端子に接続されていて、ＯＮ／ＯＦＦ信号に基づいて増幅動作及びスルー動作となるように制御される。トランジスタ１５３のベースがＯＮ状態では低雑音増幅器１５１が増幅動作となり、ベースがＯＦＦ状態では低雑音増幅器１５１がスルー動作となる。
【０００９】
ところで、現在、ＶＨＦ帯の７チャンネル／８チャンネルを使用したデジタルラジオ放送が予定されている。図４に示すようなデジタル放送受信用回路１０３にＶＨＦ帯の希望周波数を受信する受信回路を追加する場合、デジタル放送受信信号をＵＨＦ帯用とＶＨＦ帯用とに分配することになる。ＶＨＦ帯用に分配された信号は後段の処理回路で希望チャンネルが受信される。
【特許文献１】特開２００３−２４４０１５号公報
【発明の開示】
【発明が解決しようとする課題】
【００１０】
デジタル放送信号をＵＨＦ帯とＶＨＦ帯とに分配する場合、図８に示すようにコンデンサＣとインダクタＬとで構成される分配回路で分配することが考えられる。すなわち、アンテナの出力端子に対してＵＨＦ帯側及びＶＨＦ帯側の受信回路を並列に接続し、高帯域側となるＵＨＦ帯側の受信回路の入力段に設けられたノッチフィルタ１０５の前段にコンデンサＣを直列に接続し、低帯域側となるＶＨＦ帯側の受信回路の入力段にインダクタＬを直列に接続する。インダクタＬを通過したデジタル放送信号をバンドパスフィルタ１６０に入力してＶＨＦ帯（７チャンネル／８チャンネル）を取出し、取り出されたデジタル放送信号を後段のＶＨＦ用チューナＩＣへ出力する。これにより、ＶＨＦ帯用の信号はコンデンサＣで遮断されるため、第１のインダクタ１５５を介してグラウンド側へ流れることを防止でき、ＶＨＦ帯側のバンドパスフィルタ１６０へ導くことができる。一方で、ＵＨＦ帯用の信号はインダクタＬで遮断されるため、ＶＨＦ帯側のバンドパスフィルタ１６０へ流れるのを防止でき、ＵＨＦ帯側のノッチフィルタ１５０へ導くことができる。
【００１１】
しかしながら、分配回路の構成要素であるインダクタＬはサイズが大きいので、上記した分配回路を設けた場合、小型化が困難になるといった問題がある。
【００１２】
また、携帯電話機の送信回路とデジタル放送受信用回路（ＵＨＦ用受信回路及びＶＨＦ用受信回路）とを同一筐体に収納する場合に限らず、近接して併設される２つの受信回路に対して受信信号を入力し、その一方で不要周波数をカットするためにノッチフィルタが必要となるようなケースにおいて、上記したものと同様の課題が発生する。
【００１３】
本発明は、かかる点に鑑みてなされたものであり、２つの受信回路を飽和させる不要な信号をカットでき、チップインダクタの数を削減して小型化が可能であると共に、２つの受信回路を併設したとしても高周波的に互いの影響を排除でき所望の周波数特性を実現できる高周波装置を提供することを目的とする。
【課題を解決するための手段】
【００１４】
本発明の高周波装置は、アンテナに接続され第１の周波数信号を受信する第１の受信回路と、前記アンテナに接続され前記第１の周波数信号よりも低周波数の第２の周波数信号を受信する第２の受信回路と、前記アンテナと前記第１の受信回路との間に設けられたノッチフィルタと、前記ノッチフィルタから出力される信号を増幅する低雑音増幅器と、前記低雑音増幅器の接地端とグラウンドとの間に設けられたスイッチ素子とを備え、前記ノッチフィルタは、入力端が前記アンテナに接続され出力端が前記低雑音増幅器の入力端に接続されたＳＡＷフィルタと、一端が前記ＳＡＷフィルタの入力端に接続されたインダクタとを備え、前記インダクタの他端が、前記第２の受信回路の入力端に接続されると共に前記低雑音増幅器と前記スイッチ素子との接続点に接続されたことを特徴とする。
【００１５】
この構成によれば、第１の受信回路はノッチフィルタを介してアンテナに接続されるので、第１の受信回路を飽和させるような不要な周波数信号はノッチフィルタでカットすることができ、第１の受信回路において第１の周波数信号を受信することができる。また、第１の周波数信号受信時にはスイッチ素子を介して第２の受信回路の入力端がシャントされるので、高周波的には第２の受信回路が接続されていないのと等価となる。また第２の周波数信号受信時には第１の受信回路の入力段に設けたノッチフィルタのインダクタを通して第２の受信回路がアンテナに接続されるので、第２の周波数信号よりも高周波数の不要な周波数信号はインダクタで減衰させることができ、第２の受信回路において第２の周波数信号を受信することができる。
【００１６】
また上記高周波装置において、前記低雑音増幅器と前記スイッチ素子との接続点と前記インダクタの他端とを線路で接続し、当該線路にコンデンサを設けることが望ましい。これにより、スイッチ素子をＯＦＦした場合に低雑音増幅器とスイッチ素子との接続点に現れる直流電圧をコンデンサでカットすることができ、第２の受信回路の特性悪化を防止できる。
【００１７】
また上記高周波装置において、前記スイッチ素子はトランジスタで構成することができる。
【００１８】
また上記高周波装置において、前記第１及び第２の受信回路に近接して送信回路が設けられ、前記ノッチフィルタは前記送信回路から出力される信号の周波数をカットすることを特徴とする。
【００１９】
この構成によれば、隣接する送信回路から出力される信号の周波数をノッチフィルタでカットすると共にインダクタで減衰させることができ、送信回路の送信信号で第１及び第２の受信回路が飽和するのを防止できる。
【００２０】
また上記高周波装置において、前記第１の受信回路は、ＵＨＦ帯の信号を受信する回路であり、前記第２の受信回路は、ＶＨＦ帯の信号を受信する回路であり、前記送信回路は、携帯電話機の送信回路であることを特徴とする。
【００２１】
この構成によれば、携帯電話機の筐体内に、携帯電話機の送信回路、ＵＨＦ帯の信号を受信する第１の受信回路、ＶＨＦ帯の信号を受信する第２の受信回路を収納した場合であっても、携帯電話機の送信回路が出力する送信信号で第１及び第２の受信回路が飽和するのを防止できる。
【００２２】
また上記高周波装置において、前記第１の受信回路は、ＵＨＦ帯のデジタルテレビジョン信号を受信する回路であり、前記第２の受信回路は、ＶＨＦ帯の７チャンネル及び又は８チャンネルのデジタルラジオ信号を受信する回路であることを特徴とする。
【００２３】
この構成によれば、ＶＨＦ帯の７チャンネル及び又は８チャンネルのデジタルラジオ信号を受信する回路を追加する場合にインダクタ数が増加しないので、小型化が可能である。
【発明の効果】
【００２４】
本発明によれば、特定周波数をノッチフィルタでカットする高周波装置において、チップインダクタの数を増やすことなく、２つの受信回路に対して受信信号を入力でき、小型化が可能であると共に、２つの受信回路を併設したとしても高周波的に互いの影響を排除でき所望の周波数特性を実現できる。
【発明を実施するための最良の形態】
【００２５】
以下、本発明の実施の形態について添付図面を参照して詳細に説明する。
本実施の形態として、図４に示すように携帯電話機の筐体１００内に携帯電話機用の送信回路１０１及び受信回路１０２を実装すると共に第１の受信回路となるＵＨＦ用チューナＩＣ及び第２の受信回路となるＶＨＦ用チューナＩＣからなるデジタル放送受信用回路１０３´を搭載した例を説明する。なお、携帯電話機用の送信回路１０１及び受信回路１０２はアンテナスイッチ１０４を介してアンテナ１０５に接続され、デジタル放送受信用回路１０３´は別の専用アンテナ１０６に接続される。デジタル放送受信用回路１０３´は、図５に示す第１の受信回路となるデジタル放送受信用回路１０３（ＵＨＦ用チューナＩＣ）に、第２の受信回路となるＶＨＦ用チューナＩＣを追加した構成である。
【００２６】
図１はデジタル放送受信用回路１０３´の入力段においてデジタル放送信号をＵＨＦ用チューナＩＣとＶＨＦ用チューナＩＣとに分配する部分の回路構成図である。デジタル放送受信用のアンテナ１０６の入出力端子１０に対してノッチフィルタ１１の入力端子が接続される。ノッチフィルタ１１の出力端子は低雑音増幅器１２の入力端子に接続される。低雑音増幅器１２の出力端子はローパスフィルタ１３の入力端子に接続され、ローパスフィルタ１３の出力端子がＵＨＦ用チューナＩＣ（図５の１０３）の入力端子１４に接続される。低雑音増幅器１２は、接地端子がグラウンドに導通した状態で動作電流が流れて増幅動作する。低雑音増幅器１２の接地端子はトランジスタ１５のコレクタ−エミッタ間を介してグラウンドに接続される。トランジスタ１５のベースは低雑音増幅器１２をコントロールするための制御信号が印加されるＬＮＡコントロール端子１６に接続される。
【００２７】
ノッチフィルタ１１は、図６に示すノッチフィルタ１５０と同一構成を有している。すなわち、ノッチフィルタ１１はＳＡＷフィルタ２１と第１〜第３のインダクタ２２〜２４で構成されていて、図７に示す周波数特性を有している。ノッチフィルタ１１は、ＳＡＷフィルタ２１の入力端子に第１のインダクタ２２の一端が接続され、ＳＡＷフィルタ２１の接地端子とグラウンドとの間に第２のインダクタ２３が設けられ、ＳＡＷフィルタ２１の出力端子とグラウンドとの間に第３のインダクタ２４が設けられている。これら第１〜第３のインダクタ２２〜２４はアンテナ１０６側とデジタル放送受信用回路１０３´側とのインピーダンスをマッチングさせる働きをしている。
【００２８】
図２はＳＡＷフィルタ２１の構成例を示す図である。ＳＡＷフィルタ２１は、４つのＳＡＷ共振器４０Ａ〜４０Ｄで構成されている。２つのＳＡＷ共振器４０Ａ、４０Ｂが直列に接続され、入力側のＳＡＷ共振器４０Ａの入力端がアンテナ入出力端子１０に接続され、出力側のＳＡＷ共振器４０Ｂの出力端が低雑音増幅器１２の入力端子に接続される。また、入力側のＳＡＷ共振器４０Ａの入力端とグラウンドとの間にＳＡＷ共振器４０Ｃが設けられ、出力側のＳＡＷ共振器４０Ｂの出力端とグラウンドとの間にＳＡＷ共振器４０Ｄが設けられている。各ＳＡＷ共振器４０Ａ〜４０Ｄは同じ回路構成を有しているので、ＳＡＷ共振器４０Ａを例にして構成を説明する。インダクタ４１ａ（４１ｂ〜４１ｄ）とコンデンサ４２ａ（４２ｂ〜４２ｄ）が直列接続され、当該ＬＣ直列回路に対してコンデンサ４３ａ（４３ｂ〜４３ｄ）が並列に接続された構成となっている。すなわち、ＳＡＷ共振器４０Ａ〜４０Ｄは直並列共振回路で構成されている。このように構成されたＳＡＷフィルタ２１の定数を調整して図７に示すように携帯電話機の送信周波数（８３０ＭＨｚ又は９００ＭＨｚ）近傍にノッチ位置が来るように設定している。
【００２９】
本実施の形態は、一端がＳＡＷフィルタ２１の入力端に接続された第１のインダクタ２２の他端が、ＶＨＦ帯の所望チャンネル信号を取り出すためのバンドパスフィルタ３０の入力端子に接続されている。すなわち、ノッチフィルタ１１の第１のインダクタ２２を用いて、デジタル放送受信信号をＶＨＦ用チューナＩＣ側へ分配している。本例では、ＶＨＦ帯の所望チャンネルとして７チャンネル及び又は８チャンネルを受信する。ＶＨＦ帯の７チャンネル及び又は８チャンネルは１９０ＭＨｚを中心周波数とした帯域となる。バンドパスフィルタ３０はＳＡＷフィルタを用いており、図３に示すように１９０ＭＨｚを中心周波数とした通過帯域特性を持たせている。バンドパスフィルタ３０の出力端子はＶＨＦ用チューナＩＣの入力端子３１に接続される。
【００３０】
さらに、本実施の形態は、第１のインダクタ２２の他端が、コンデンサ２５を介してトランジスタ１５のコレクタに接続されている。トランジスタ１５がＯＮ状態の場合、バンドパスフィルタ３０の入力側をショートさせて高周波的にＶＨＦ側の回路が無いのと等価な状態にできるように構成されている。
【００３１】
次に、以上のように構成された本実施の形態の動作について説明する。
ＵＨＦ帯受信の場合、ＬＮＡコントロール端子１６にハイレベルの制御信号が印加され、トランジスタ１５のベースがＯＮ状態となる。トランジスタ１５のベースがＯＮ状態になると、ノッチフィルタ１１の第１のインダクタ２２の他端は、コンデンサ２５及びトランジスタ１５のコレクタ−エミッタ間を介してグラウンドに導通接続される。したがって、第１のインダクタ２２の他端はグラウンドに導通した状態となると共に第１のインダクタ２２の他端を介して接続されていたＶＨＦ側の回路はシャントされるので、高周波的にＶＨＦ側の回路は第１のインダクタ２２から切り離された状態となる。その結果、ノッチフィルタ１１は、図６に示すノッチフィルタ１５０と等価となる。これにより、図６に示すノッチフィルタ１５０（図７に示す周波数特性を有する）と同様に携帯電話機の送信回路から回り込む送信周波数をカットできるものとなる。
【００３２】
ノッチフィルタ１１により携帯電話機の送信周波数（８３０ＭＨｚ又は９００ＭＨｚ）がカットされたデジタル放送受信信号は、トランジスタ１５により増幅動作状態に制御された低雑音増幅器１２で増幅される。低雑音増幅器１２から出力された増幅信号はローパスフィルタ１３に入力してＵＨＦ帯よりも高周波周側が減衰されて後段のＵＨＦ用チューナＩＣへ出力される。ＵＨＦ用チューナＩＣは、ノッチフィルタ１１により携帯電話機の送信周波数（８３０ＭＨｚ又は９００ＭＨｚ）がカットされるので、送信電力で飽和することなくＵＨＦ帯の所望チャンネルを受信できることとなる。
【００３３】
ＶＨＦ帯受信の場合、ＬＮＡコントロール端子１６にローレベルの制御信号が印加され、トランジスタ１５のベースがＯＦＦ状態となる。トランジスタ１５のベースがＯＦＦ状態になると、低雑音増幅器１２はノッチフィルタ１１を介して入力する信号を増幅せずに通過させるスルー動作状態となる。低雑音増幅器１２を流れる信号によりトランジスタ１５のコレクタ側に直流成分が現れるが、コンデンサ２５によりカットすることができる。これにより、トランジスタ１５のコレクタと第１のインダクタ２２との間を接続する線路を経由して直流信号がＶＨＦ側の回路に流れ込むことを防止できる。
【００３４】
また、トランジスタ１５のベースがＯＦＦ状態であれば、第１のインダクタ２２は接地されないので、デジタル放送受信信号は第１のインダクタ２２を通過してＶＨＦ側のバンドパスフィルタ３０へ入力される。バンドパスフィルタ３０では、図３に示すようにＶＨＦ帯の所望チャンネル（１９０ＭＨｚ）を中心周波数とした通過特性を示すので、ＶＨＦ帯の所望チャンネルを取り出して後段のＶＨＦ用チューナＩＣへ出力する。
【００３５】
このとき、ＶＨＦ帯の所望チャンネル（１９０ＭＨｚ）に比べて携帯電話機の送信周波数（８３０ＭＨｚ又は９００ＭＨｚ）は極めて高い周波数であるので、デジタル放送受信信号が第１のインダクタ２２を通過する際に携帯電話機の送信周波数（８３０ＭＨｚ又は９００ＭＨｚ）を含む高い周波数信号は大幅に減衰される。したがって、第１のインダクタ２２により携帯電話機の送信周波数（８３０ＭＨｚ又は９００ＭＨｚ）を減衰できるので、ＶＨＦ帯の回路が携帯電話機側の送信電力で飽和するのを防止でき、ＶＨＦ帯の所望チャンネルを受信できることとなる。
【００３６】
このように本実施の形態によれば、ノッチフィルタ１１の入力端側に設けられた第１のインダクタ２２を利用してＶＨＦ側の回路へデジタル放送受信信号を分配するように構成したので、サイズの大きいチップインダクタを増加することなく、ＶＨＦ側の回路へ大きな送信電力が入力するのを防止でき、デジタル放送受信用回路（ＵＨＦ用受信回路及びＶＨＦ用受信回路）１３０´が飽和するのを防止できると共に小型化が可能となる。
【００３７】
また、ＵＨＦ帯受信時にはＶＨＦ側の回路をシャントするため、高周波的にはＵＨＦ専用回路と同一となり、図８に示すような分配回路を別に設けた構成に比べ良好な特性を期待できる。
【００３８】
なお、以上の説明は携帯電話機の送信回路とデジタル放送受信用回路（ＵＨＦ用受信回路及びＶＨＦ用受信回路）とを同一筐体に収納する例であったが、本発明はこのような用途に限定されるものではない。近接して併設される２つの受信回路に対して受信信号をそれぞれ入力する一方、当該受信回路の周辺で発生する不要な高周波信号をノッチフィルタでカットする回路構成であれば、同様に適用可能である。
【産業上の利用可能性】
【００３９】
本発明は、デジタル放送受信信号を分配して２つの受信回路へ入力すると共に一方の受信回路の入力段にノッチフィルタを備えた高周波装置に適用可能である。
【図面の簡単な説明】
【００４０】
【図１】本発明の一実施の形態に係る高周波装置においてデジタル放送信号をＵＨＦ用チューナＩＣとＶＨＦ用チューナＩＣとに分配する部分の回路構成図
【図２】図１に示すＳＡＷフィルタの回路構成図
【図３】図１に示すバンドパスフィルタの特性図
【図４】同一筐体に携帯電話用の送受信回路とデジタル放送受信用の受信回路とを収納した携帯電話機の構成説明図
【図５】図４に示す携帯電話用の送受信回路とデジタル放送受信用の受信回路の回路構成図
【図６】デジタル放送受信用の受信回路の入力段に設けたノッチフィルタ等の回路構成図
【図７】ＵＨＦ帯とノッチフィルタによるノッチ位置との関係を示す特性図
【図８】デジタル放送受信信号をＵＨＦ用の回路とＶＨＦ用の回路とに分配する回路構成図
【符号の説明】
【００４１】
１０  デジタル放送受信用アンテナの入出力端子
１１  ノッチフィルタ
１２  低雑音増幅器
１３  ローパスフィルタ
１４  ＵＨＦ用チューナＩＣの入力端子
１５  トランジスタ
１６  ＬＮＡコントロール端子
２１  ＳＡＷフィルタ
２２〜２４  第１〜第３のインダクタ
２５  コンデンサ
３０  バンドパスフィルタ
４０Ａ〜４０Ｄ  ＳＡＷ共振器
１００  携帯電話機筐体
１０１  携帯電話機側の送信回路
１０２  携帯電話機側の受信回路
１０３  デジタル放送受信用回路
１０５  携帯電話機側のアンテナ
１０６  デジタル放送受信用のアンテナ
【図１】
2007142712.tif 000003
【図２】
2007142712.tif 000004
【図３】
2007142712.tif 000005
【図４】
2007142712.tif 000006
【図５】
2007142712.tif 000007
【図６】
2007142712.tif 000008
【図７】
2007142712.tif 000009
【図８】
2007142712.tif 000010